(57)【要約】【課題】像担持体の上方に配置され、像担持体を清掃するクリーニング装置において、像担持体に当接するシート部材の上に堆積したトナーによって、トナー漏れが生じることを防止する。【解決手段】感光体ドラム３１の回転面３１Ｂの上方には、研磨ローラー３５３が回転可能に当接される。また、研磨ローラー３５３よりも、感光体ドラム３１の回転方向上流側には、トナーシール３６０が配設される。研磨ローラー３５３とトナーシール３６０の上方の空間との間には、飛散防止壁３９０が立設される。飛散防止壁３９０の防止壁先端部３９０Ｆは、感光体ドラム３１の回転面３１Ｂに向かって延伸される。飛散防止壁３９０によって研磨ローラー３５３から飛散したトナーがトナーシール３６０の上に堆積することを防止する。【選択図】図３
2014002344.tif 000002
【特許請求の範囲】
【請求項１】
回転軸と、前記回転軸周りに一の方向に回転され、トナー像を担持する円筒面と、を備える像担持体の上方に配置され、前記円筒面を清掃するクリーニング装置であって、
筐体と、
前記回転軸と直交する断面視において、前記回転軸よりも上方の前記円筒面に当接する周面を備え、前記当接位置で前記像担持体と同方向に回転駆動され、前記像担持体上に付着したトナーを回収する回転部材と、
前記筐体に配設され、前記断面視において、前記回転軸よりも上方であって、前記回転部材よりも前記像担持体の前記回転方向上流側の前記円筒面に当接する先端部を備えるシート部材と、
前記像担持体の前記円筒面と間隔をおいて、前記回転部材と前記シート部材の上方の空間との間に立設される立壁と、
前記立壁のうち前記円筒面に対向する端部であって、前記シート部材の前記先端部よりも前記像担持体の前記回転方向下流側の前記円筒面に向かって延伸される立壁先端部と、を備えることを特徴とするクリーニング装置。
【請求項２】
前記断面視において、前記立壁先端部は、前記回転部材の回転における軸心と、前記シート部材の前記先端部と前記円筒面との当接位置と、を結ぶ直線と面一または前記直線よりも前記像担持体の前記円筒面側に突出することを特徴とする請求項１に記載のクリーニング装置。
【請求項３】
前記立壁は、前記回転部材に対向して鉛直方向に立設され、
前記立壁先端部は、前記回転部材の当接位置に向かう方向に鉛直方向に対して傾いていることを特徴とする請求項１または２に記載のクリーニング装置。
【請求項４】
前記回転部材は、前記像担持体の前記円筒面に付着した付着物を研磨する研磨ローラーであって、
前記研磨ローラーの前記周面に当接し、前記周面に付着するトナー量を規制する規制部材を更に備えることを特徴とする請求項１乃至３の何れか１項に記載のクリーニング装置。
【請求項５】
前記立壁は、前記回転軸の軸方向に沿って前記回転部材を囲むケーシングであり、
前記ケーシングは前記規制部材を支持することを特徴とする請求項４に記載のクリーニング装置。
【請求項６】
前記像担持体は、アモルファスシリコン感光体であることを特徴とする請求項４または５に記載のクリーニング装置。
【請求項７】
前記回転部材の周速度が３００ｍｍ／ｓｅｃ以上、または、前記回転部材が前記周面上の単位体積あたりの前記トナーに付与する遠心力が６．０ｍＮ／ｍｍ３以上であることを特徴とする請求項１乃至６の何れか１項に記載のクリーニング装置。
【請求項８】
前記回転部材よりも、前記像担持体の回転方向下流側の前記円筒面に当接し、前記像担持体上に付着したトナーを除去するクリーニングブレードを更に備えることを特徴とする請求項１乃至７の何れか１項に記載のクリーニング装置。
【請求項９】
請求項１乃至８の何れか１項に記載のクリーニング装置と、
前記回転部材に対向して配置される前記像担持体と、を備えることを特徴とする像担持体ユニット。
【請求項１０】
請求項１乃至８の何れか１項に記載のクリーニング装置と、
前記回転部材に対向して配置される前記像担持体と、
前記像担持体の前記円筒面に、トナーを供給する現像装置と、
を備えることを特徴とする画像形成装置。
【請求項１１】
前記像担持体に対向して、下方から上方に向かってシートを搬送するシート搬送路と、
前記像担持体の前記円筒面に当接され、前記像担持体から前記トナー像を前記シートに転写させる転写ニップ部を形成する転写部材と、を備え、
前記像担持体は、前記転写ニップ部において、下方から上方に向かって回転駆動され、
前記回転部材は、前記転写ニップ部から、前記回転軸の直上の位置までの間の前記像担持体の前記円筒面に当接することを特徴とする請求項１０に記載の画像形成装置。
【発明の詳細な説明】
【技術分野】
【０００１】
本発明は、トナー像を担持する像担持体を清掃するクリーニング装置、およびこれを備える像担持体ユニット、画像形成装置に関する。
【背景技術】
【０００２】
従来、シートに画像を形成する画像形成装置として、感光体ドラムと、転写ローラーとの間に形成される転写ニップ部を、シートが下方から上方に向かって通過する技術が知られている。感光体ドラム上にトナー像が形成され、転写ニップ部において該トナー像がシートに転写される。画像形成装置は更に定着部を備え、トナー像が転写されたシートは、定着部において定着処理を施された後、排出される。
【０００３】
転写ニップ部において、トナー像が転写された後の感光体ドラム上の残留トナーを清掃するために、感光体ドラムに対向して、クリーニング装置が配置される。シートが転写ニップ部を下方から上方に向かって通過する場合、転写ニップ部よりも、感光体ドラムの回転方向下流側に配設されるクリーニング装置は、感光体ドラムの上方に配置されることが多い。この場合、感光体ドラムから除去された残留トナーが、クリーニング装置の周辺から落下することがある。このため、クリーニング装置の周囲には、残留トナーの落下を防止するために、トナーシール部材が感光体ドラムに当接される。特許文献１には、トナーシール部材の上に堆積したトナーを、振動をもって落下させるトナーほぐし部材が開示されている。また、特許文献２には、トナーシール部材の上に堆積したトナーが、トナーシール部材の先端部から漏れ出した場合に、該トナーを吸引する吸引手段が開示されている。
【先行技術文献】
【特許文献】
【０００４】
【特許文献１】特開２０００−１８１３１５号公報
【特許文献２】特開平７−２７１２５５号公報
【発明の概要】
【発明が解決しようとする課題】
【０００５】
特許文献１および２に記載された技術では、クリーニング装置において回収されたトナーが、トナーシール部材の上に堆積してしまう。特に、クリーニング装置が感光体ドラムの上方に配置され、トナーシール部材の上方に多量のトナーが堆積した場合、該トナーがトナーシール部材を感光体ドラムに向かって押圧する。このため、トナーシール部材の感光体ドラムに対する当接圧が高くなる。この場合、転写ニップ部において像担持体の円筒面にシートの紙粉が付着し、像担持体の回転に伴ってトナーシール部材の先端部まで移動された紙粉が、トナーシール部材の先端部と像担持体の円筒面との間で塊に成長される。この結果、前記紙粉の塊によってトナーシール部材の先端部が浮き上がり、トナー漏れなどの不具合が生じることがあった。
【０００６】
本発明は、上記の問題に鑑みてなされたものであり、像担持体の上方に配置され、像担持体を清掃するクリーニング装置、およびこれを備える像担持体ユニット、または画像形成装置において、シート部材の上に堆積したトナーによって、トナー漏れが生じることを抑止することを目的とする。
【課題を解決するための手段】
【０００７】
本発明の一局面に係るクリーニング装置は、回転軸と、前記回転軸周りに一の方向に回転され、トナー像を担持する円筒面と、を備える像担持体の上方に配置され、前記円筒面を清掃するクリーニング装置であって、筐体と、前記回転軸と直交する断面視において、前記回転軸よりも上方の前記円筒面に当接する周面を備え、前記当接位置で前記像担持体と同方向に回転駆動され、前記像担持体上に付着したトナーを回収する回転部材と、前記筐体に配設され、前記断面視において、前記回転軸よりも上方であって、前記回転部材よりも前記像担持体の前記回転方向上流側の前記円筒面に当接する先端部を備えるシート部材と、前記像担持体の前記円筒面と間隔をおいて、前記回転部材と前記シート部材の上方の空間との間に立設される立壁と、前記立壁のうち前記円筒面に対向する端部であって、前記シート部材の前記先端部よりも前記像担持体の前記回転方向下流側の前記円筒面に向かって延伸される立壁先端部と、を備えることを特徴とする。
【０００８】
本構成によれば、回転部材によって像担持体から回収された回収トナーが、回転部材の周面から飛散した場合であっても、前記トナーは立壁に衝突される。このため、シート部材の上方の空間に前記トナーが飛散することが抑止される。更に、立壁先端部がシート部材の先端部よりも像担持体の回転方向下流側の円筒面に向かって延伸される。したがって、立壁に衝突したトナーは、シート部材よりも前記回転方向下流側の円筒面に落下する。このため、シート部材の上にトナーが堆積することが好適に防止される。この結果、シート部材上に堆積したトナーが、シート部材を像担持体側に押圧することが抑止される。したがって、シート部材の像担持体に対する当接圧が高く成り難く、シート部材の先端部からトナー漏れが生じることが抑制される。
【０００９】
上記の構成において、前記断面視において、前記立壁先端部は、前記回転部材の回転における軸心と、前記シート部材の前記先端部と前記円筒面との当接位置と、を結ぶ直線と面一または前記直線よりも前記像担持体の前記円筒面側に突出することが望ましい。
【００１０】
本構成によれば、立壁に衝突したトナーが立壁先端部から落下する際に、前記トナーがシート部材側に向かって吹き出すことが抑止される。
【００１１】
上記の構成において、前記立壁は、前記回転部材に対向して鉛直方向に立設され、前記立壁先端部は、前記回転部材の当接位置に向かう方向に鉛直方向に対して傾いていることが望ましい。
【００１２】
本構成によれば、立壁に衝突したトナーは鉛直下方に速やかに落下される。また、立壁先端部が回転部材の当接位置に向かう方向に鉛直方向に対して傾いて配置されるため、前記トナーはシート部材から可及的に離れた円筒面に落下する。
【００１３】
上記の構成において、前記回転部材は、前記像担持体の前記円筒面に付着した付着物を研磨する研磨ローラーであって、前記研磨ローラーの前記周面に当接し、前記周面に付着するトナー量を規制する規制部材を更に備えることが望ましい。
【００１４】
本構成によれば、研磨ローラーによって、像担持体の円筒面に付着した付着物が、効果的に研磨される。また、規制部材が、研磨ローラーの周面に付着するトナー量を規制する。このため、研磨ローラーと像担持体の円筒面との間にトナーが均一に介在することによって促進される研磨効果が、研磨ローラーの周面上の位置によってばらつくことが抑止される。
【００１５】
上記の構成において、前記立壁は、前記回転軸の軸方向に沿って前記回転部材を囲むケーシングであり、前記ケーシングは前記規制部材を支持することが望ましい。
【００１６】
本構成によれば、立壁は回転部材を囲むケーシングとして機能するとともに、規制部材を支持する。このため、回転部材上に均一なトナー層が形成されるとともに、前記トナーの飛散が好適に抑止される。
【００１７】
上記の構成において、前記像担持体は、アモルファスシリコン感光体であることが望ましい。
【００１８】
本構成によれば、研磨ローラーの周面に付着したトナーによって、研磨ローラーによる像担持体の周面の研磨効果が促進される。この際、像担持体がアモルファスシリコン感光体であるため、研磨ローラーによって感光体表面が削れにくく、感光体の表面に付着した付着物が選択的に研磨されやすい。
【００１９】
上記の構成において、前記回転部材の周速度が３００ｍｍ／ｓｅｃ以上、または、前記回転部材が前記周面上の単位体積あたりの前記トナーに付与する遠心力が６ｍＮ／ｍｍ３以上であることが望ましい。
【００２０】
本構成によれば、回転部材の周速度が３００ｍｍ／ｓｅｃ以上であって、回転部材からトナーが飛散しやすい条件であっても、立壁によって前記トナーがシート部材の上方に飛散することが抑止される。または、回転部材が周面上の単位体積あたりのトナーに付与する遠心力が６．０ｍＮ／ｍｍ３以上であって、回転部材からトナーが飛散しやすい条件であっても、立壁によって前記トナーがシート部材の上方に飛散することが抑止される。このため、シート部材の上にトナーが堆積することが効果的に抑制される。
【００２１】
上記の構成において、前記回転部材よりも、前記像担持体の回転方向下流側の前記円筒面に当接し、前記像担持体上に付着したトナーを除去するクリーニングブレードを更に備えることが好ましい。
【００２２】
本構成によれば、回転部材よりも、像担持体の回転方向下流側には、クリーニングブレードが配置される。このため、像担持体に付着したトナーが精度良く除去される。
【００２３】
本発明の他の局面に係る像担持体ユニットは、上記の何れかに記載のクリーニング装置と、前記回転部材に対向して配置される前記像担持体と、を備えることを特徴とする。
【００２４】
本構成によれば、像担持体から回収された回収トナーが、回転部材の周面から飛散した場合であっても、前記飛散したトナーは立壁に衝突される。このため、シート部材の上方の空間に前記トナーが飛散することが抑止される。更に、立壁に衝突したトナーは、シート部材よりも前記回転方向下流側の円筒面に落下する。このため、シート部材の上にトナーが堆積することが好適に防止される。この結果、シート部材上に堆積したトナーが、シート部材を像担持体側に押圧することが抑止される。したがって、シート部材の像担持体に対する当接圧が高く成り難く、シート部材の先端部からトナー漏れが生じることが抑制される。
【００２５】
本発明の他の局面に係る画像形成装置は、上記の何れかに記載のクリーニング装置と、前記回転部材に対向して配置される前記像担持体と、前記像担持体の前記円筒面に、トナーを供給する現像装置と、を備えることを特徴とする。
【００２６】
本構成によれば、像担持体から回収された回収トナーが、回転部材の周面から飛散した場合であっても、前記飛散したトナーは立壁に衝突される。このため、シート部材の上方の空間に前記トナーが飛散することが抑止される。更に、立壁に衝突したトナーは、シート部材よりも前記回転方向下流側の円筒面に落下する。このため、シート部材の上にトナーが堆積することが好適に防止される。この結果、シート部材上に堆積したトナーが、シート部材を像担持体側に押圧することが抑止される。したがって、シート部材の像担持体に対する当接圧が高く成り難く、シート部材の先端部からトナー漏れが生じることが抑制される。
【００２７】
上記の構成において、前記像担持体に対向して、下方から上方に向かってシートを搬送するシート搬送路と、前記像担持体の前記円筒面に当接され、前記像担持体から前記トナー像を前記シートに転写させる転写ニップ部を形成する転写部材と、を備え、前記像担持体は、前記転写ニップ部において、下方から上方に向かって回転駆動され、前記回転部材は、前記転写ニップ部から、前記回転軸の直上の位置までの間の前記像担持体の前記円筒面に当接することが好ましい。
【００２８】
本構成によれば、回転部材は、転写ニップ部から、像担持体の回転軸の直上の位置までの間の像担持体の円筒面に当接する。この結果、シート部材の先端部は、回転部材が円筒面に当接する位置よりも、下方かつ像担持体の回転方向上流側の円筒面に当接する。このため、回転部材から飛散したトナーが、シート部材の上に落下しやすい。このような場合であっても、上記の構成によれば、前記飛散したトナーは立壁に衝突される。このため、シート部材の上方の空間に前記トナーが飛散することが抑止される。更に、立壁に衝突したトナーは、シート部材よりも前記回転方向下流側の円筒面に落下する。このため、シート部材の上にトナーが堆積することが好適に防止される。この結果、シート部材上に堆積したトナーが、シート部材を像担持体側に押圧することが抑止される。したがって、シート部材の像担持体に対する当接圧が高く成り難く、シート部材の先端部からトナー漏れが生じることが抑制される。更に、転写ニップ部において像担持体の円筒面にシートの紙粉が付着した場合であっても、像担持体の回転に伴ってシート部材の先端部まで移動された紙粉が、シート部材の先端部と像担持体の円筒面との間で、塊に成長されることが抑止される。この結果、前記紙粉の塊によってシート部材の先端部が浮き上がり、トナーがシート部材と像担持体の隙間から漏れることを防止できる。したがって、下方に漏れたトナーによって、搬送されるシートが汚されることが抑制される。
【発明の効果】
【００２９】
本発明によれば、像担持体の上方に配置され、像担持体を清掃するクリーニング装置、およびこれを備える像担持体ユニット、または画像形成装置において、シート部材の上に堆積したトナーによって、トナー漏れが生じることが抑止される。
【図面の簡単な説明】
【００３０】
【図１】本発明の一実施形態に係る画像形成装置の外観を示す斜視図である。
【図２】本発明の一実施形態に係る画像形成装置の内部構造を示す断面図である。
【図３】本発明の一実施形態に係る像担持体ユニットの内部構造を示す側断面図である。
【図４】本発明と比較される像担持体ユニットの内部構造を示す側断面図である。
【図５】トナーシールにトナーが堆積した状態を説明するための模式図である。
【図６】トナーシール先端部が紙粉の塊によって浮き上がった状態を説明するための模式図である。
【図７】研磨ローラーの周速度とトナーシール上のトナーの溜まり量との関係を示すグラフである。
【図８】研磨ローラーの周速度と研磨ローラー上のトナーが受ける遠心力との関係を示すグラフである。
【図９】本発明の一実施形態に係る像担持体ユニットの一部を拡大した拡大断面図である。
【図１０】本発明の一実施形態に係る像担持体ユニットの一部を拡大した拡大断面図である。
【発明を実施するための形態】
【００３１】
以下、図面に基づいて、本発明の実施形態につき詳細に説明する。図１は、本発明の一実施形態に係る画像形成装置１の外観を示す斜視図である。また、図２は、本発明の一実施形態に係る画像形成装置１の内部構造を示す側断面図である。ここでは、画像形成装置１としてモノクロプリンターを例示するが、画像形成装置は、複写機、ファクシミリ装置、或いは、これらの機能を備える複合機であってもよく、またカラー画像を形成する画像形成装置であっても良い。
【００３２】
画像形成装置１は、略直方体形状の筐体構造を有する本体ハウジング１０と、この本体ハウジング１０内に収容される給紙部２０、画像形成部３０、定着部４０及びトナーコンテナ５０と、を含む。
【００３３】
本体ハウジング１０の前面側には前カバー１１が、後面側には後カバー１２が各々備えられている。前カバー１１が開放されることで、トナーコンテナ５０が前面側に露出する。これにより、ユーザーは、トナー切れの際にトナーコンテナ５０を本体ハウジング１０の前面側から取り出すことができる。後カバー１２は、シートジャムやメンテナンスの際に開放されるカバーである。画像形成部３０及び定着部４０の各ユニットは、後カバー１２が開放されることで、本体ハウジング１０の後面側から取り出し可能となる。また、本体ハウジング１０の側面には、左カバー１２Ｌ（図１）と、左カバー１２Ｌとは反対側の右カバー１２Ｒ（図１には現れていない）とが、それぞれ鉛直方向に延伸するように配設されている。左カバー１２Ｌの前側部分には、本体ハウジング１０内に空気を取り込むための吸気口１２Ｌａが配設されている。また、本体ハウジング１０の上面には、画像形成後のシートが排出される排紙部１３が備えられている。前カバー１１と、後カバー１２と、左カバー１２Ｌと、右カバー１２Ｒと、排紙部１３とによって画定される内部空間Ｓ（図２）に、画像形成を実行するための各種装置が内装される。
【００３４】
給紙部２０は、画像形成処理が施されるシートを収容する給紙カセット２１を含む（図２）。この給紙カセット２１は、その一部が本体ハウジング１０の前面からさらに前方に突出している。給紙カセット２１のうち、本体ハウジング１０内に収容されている部分の上面は、給紙カセット天板２１Ｕによって覆われている。給紙カセット２１には、前記シートの束が収容されるシート収容空間、前記シートの束を給紙のためにリフトアップするリフト板等が備えられている。給紙カセット２１の後端側の上部にはシート繰出部２１Ａが設けられている。このシート繰出部２１Ａには、給紙カセット２１内のシート束の最上層のシートを１枚ずつ繰り出すための給紙ローラー２１Ｂが配置されている。
【００３５】
画像形成部３０は、給紙部２０から送り出されるシートにトナー画像を形成する画像形成処理を行う。画像形成部３０は、感光体ドラム３１（像担持体）と、この感光体ドラム３１の周囲に配置された、帯電装置３２、露光装置（図２には表れていない）、現像装置３３、転写ローラー３４（転写部材）及びクリーニング装置３５とを含む。画像形成部３０は、左カバー１２Ｌと右カバー１２Ｒとの間に、配設される。
【００３６】
感光体ドラム３１は、回転軸３１Ａと、回転軸３１Ａ回りに回転する円筒面３１Ｂと、を備える。円筒面３１Ｂには、静電潜像が形成されるとともに、該静電潜像に応じたトナー像が円筒面３１Ｂに担持される。感光体ドラム３１としては、アモルファスシリコン（ａ−Ｓｉ）系材料を用いた感光体ドラムを用いることができる。
【００３７】
帯電装置３２は、感光体ドラム３１の表面を均一に帯電するものであって、感光体ドラム３１に当接する帯電ローラーを含む。
【００３８】
クリーニング装置３５は、クリーニングブレード３５１（図３）を有し、トナー像転写後の感光体ドラム３１の周面に付着したトナーを清掃するとともに、不図示の回収装置に該トナーを搬送する。また、感光体ドラム３１と、帯電装置３２と、クリーニング装置３５とは、ドラムユニット３１Ｈ（図３参照）（像担持体ユニット）として一体的に構成されている。クリーニング装置３５およびドラムユニット３１Ｈについては、後記で詳述する。
【００３９】
露光装置は、レーザー光源とミラーやレンズ等の光学系機器とを有し、感光体ドラム３１の周面に、パーソナルコンピューター等の外部装置から与えられる画像データに基づいて変調された光を照射して、静電潜像を形成する。現像装置３３は、感光体ドラム３１上の前記静電潜像を現像してトナー像を形成するために、感光体ドラム３１の周面にトナーを供給する。現像装置３３は、感光体ドラム３１に供給するトナーを担持する現像ローラー３３１と、不図示の現像ハウジングの内部で現像剤を攪拌しながら循環搬送する第１搬送スクリュー３３２及び第２搬送スクリュー３３３とを含む。
【００４０】
転写ローラー３４は、感光体ドラム３１の周面に形成されたトナー像をシート上に転写させるためのローラーである。転写ローラー３４は、感光体ドラム３１の円筒面３１Ｂに当接し、転写ニップ部ＴＰ（図３）を形成している。この転写ローラー３４には、トナーと逆極性の転写バイアスが与えられる。
【００４１】
定着部４０は、転写されたトナー像をシート上に定着する定着処理を行う。定着部４０は、加熱源を内部に備えた定着ローラー４１と、この定着ローラー４１に対して圧接され、定着ローラー４１との間に定着ニップ部を形成する加圧ローラー４２とを含む。トナー像が転写されたシートが前記定着ニップ部に通紙されると、トナー像は、定着ローラー４１による加熱および加圧ローラー４２による押圧により、シート上に定着される。
【００４２】
トナーコンテナ５０は、現像装置３３に補給するトナーを貯留する。トナーコンテナ５０は、トナーの主な貯留箇所となるコンテナ本体５１と、コンテナ本体５１の一側面の下部から突設された筒状部５２と、コンテナ本体５１の他の側面を覆う蓋部材５３と、コンテナ内部に収容されトナーを搬送する回転部材５４とを含む。トナーコンテナ５０内に貯留されたトナーは、回転部材５４が回転駆動されることによって、筒状部５２の先端下面に設けられたトナー排出口５２１から現像装置３３内に供給される。また、トナーコンテナ５０の上方を覆うコンテナ天板５０Ｈは、排紙部１３の下方に位置する（図２参照）。
【００４３】
本体ハウジング１０内には、シートを搬送するために、主搬送路２２Ｆ及び反転搬送路２２Ｂが備えられている。主搬送路２２Ｆは、給紙部２０のシート繰出部２１Ａから画像形成部３０及び定着部４０を経由して、本体ハウジング１０上面の排紙部１３に対向して設けられている排紙口１４まで延びている。反転搬送路２２Ｂは、シートに対して両面印刷を行う場合に、片面印刷されたシートを主搬送路２２Ｆにおける画像形成部３０の上流側に戻すための搬送路である。
【００４４】
主搬送路２２Ｆ（シート搬送路）は、感光体ドラム３１および転写ローラー３４によって形成される転写ニップ部ＴＰを、下方から上方に向かって、通過するように延設される。また、主搬送路２２Ｆの、転写ニップ部ＴＰよりも上流側には、レジストローラー対２３が配置されている。シートは、レジストローラー対２３にて一旦停止され、スキュー矯正が行われた後、画像転写のための所定のタイミングで、前記転写ニップ部に送り出される。主搬送路２２Ｆ及び反転搬送路２２Ｂの適所には、シートを搬送するための搬送ローラーが複数配置されており、例えば排紙口１４の近傍には排紙ローラー対２４が配置されている。
【００４５】
反転搬送路２２Ｂは、反転ユニット２５の外側面と、本体ハウジング１０の後カバー１２の内面との間に形成されている。なお、反転ユニット２５の内側面には転写ローラー３４及びレジストローラー対２３の一方のローラーが搭載されている。後カバー１２及び反転ユニット２５は、それらの下端に設けられた支点部１２１の軸回りに各々回動可能である。反転搬送路２２Ｂにおいてシートジャムが発生した場合、後カバー１２が開放される。主搬送路２２Ｆでシートジャムが発生した場合、或いは感光体ドラム３１のユニットや現像装置３３が外部に取り出される場合には、後カバー１２に加えて反転ユニット２５も開放される。
【００４６】
次に、図３を参照して、本実施形態に係るドラムユニット３１Ｈの構成について、詳述する。図３は、本実施形態に係るドラムユニット３１Ｈの断面図である。なお、図３は、図２において、紙面上の左右方向（画像形成装置１の前後方向）を反転させた図として示されている。
【００４７】
図３を参照して、ドラムユニット３１Ｈは、感光体ドラム３１と、帯電装置３２と、クリーニング装置３５と、を備える。ドラムユニット３１Ｈは、左右方向（図３の紙面に直交する方向）の両端部に、不図示の一対の側板を備える。該一対の側板によって、感光体ドラム３１が回転可能に支持される。また、前記一対の側板によって、帯電装置３２およびクリーニング装置３５が、感光体ドラム３１に対向して、支持される。感光体ドラム３１は、図３において、矢印ＤＰ方向に回転駆動される。また、ドラムユニット３１Ｈは、前記側板に配設される固定部（不図示）を備える。ドラムユニット３１Ｈが画像形成装置１の本体ハウジング１０に装着された際に、前記固定部が画像形成装置１の本体ハウジング１０に固定される。この結果、画像形成装置１において、ドラムユニット３１Ｈの位置が固定される。前記固定部は、スクリューが締結される締結用穴などから構成される。
【００４８】
帯電装置３２は、感光体ドラム３１よりも、前側に配置される。帯電装置３２は、帯電ローラー３２１と、クリーニングローラー３２２と、帯電ハウジング３２Ｈとを備える。帯電ハウジング３２Ｈは、感光体ドラム３１の回転軸と直交する断面視において、略コの字型の形状を有する。帯電ハウジング３２Ｈの中に、帯電ローラー３２１およびクリーニングローラー３２２が、それぞれ回転可能に支持される。
【００４９】
帯電ローラー３２１は、表面がゴム材料から構成されるロール部材である。帯電ローラー３２１には、不図示のバイアス印加手段から、帯電電圧が印加される。帯電ローラー３２１は、感光体ドラム３１の円筒面３１Ｂに当接することで、感光体ドラム３１に従動しながら回転される。帯電電圧が印加された帯電ローラー３２１によって、感光体ドラム３１の円筒面３１Ｂが一様に帯電される。
【００５０】
クリーニングローラー３２２は、帯電ローラー３２１に当接し、帯電ローラー３２１と線速差をもって回転する。クリーニングローラー３２２は導電性ナイロンの繊維で形成されたブラシローラーである。帯電ローラー３２１が、感光体ドラム３１の表面に当接することによって、帯電ローラー３２１の表面にトナーや異物などが付着する。クリーニングローラー３２２が、帯電ローラー３２１に接触しながら、線速差をもって回転されることによって、帯電ローラー３２１の表面に付着したトナー、異物などが、好適に除去される。
【００５１】
クリーニング装置３５は、感光体ドラム３１の上方に配置される。クリーニング装置３５は、クリーナーハウジング３５Ｈ（筐体）と、クリーニングブレード３５１と、搬送スクリュー３５２と、研磨ローラー３５３（回転部材）と、を備える。また、クリーニング装置３５は、スクレーパ３５４（規制部材）と、ケーシング３５３Ｈと、上部シール３５６とを備える。更に、クリーニング装置３５は、プレート３５８と、巻き込み防止シート３５９と、トナーシール３６０（シート部材）とを備える。
【００５２】
クリーナーハウジング３５Ｈは、クリーニング装置３５内の各部材を支持する筐体である。クリーニング装置３５は、感光体ドラム３１および帯電装置３２を上方で覆うように配置される。特に、クリーナーハウジング３５Ｈの前方部分は、帯電ローラー３２１の上方に配置される。また、感光体ドラム３１の回転軸と直交する断面視において、クリーナーハウジング３５Ｈの前後方向の中央部は、上方に向かって円弧状に突出した形状を備える。更に、クリーナーハウジング３５Ｈの後方部分は、ハウジング後壁３５Ｈ１によって画定される。ハウジング後壁３５Ｈ１は、鉛直方向に延設される壁部である。ハウジング後壁３５Ｈ１は、後記の研磨ローラー３５３に対向して配置される。ハウジング後壁３５Ｈ１の下端は、感光体ドラム３１の周面に間隔をおいて配置される。また、ハウジング後壁３５Ｈ１の下端は、後記のトナーシール３６０の上方に間隔をおいて配置される。
【００５３】
クリーニングブレード３５１は、クリーナーハウジング３５Ｈの底部に沿って、水平方向に配置される。クリーニングブレード３５１は、ゴム材料から構成される板状部材である。クリーニングブレード３５１は、ブレードホルダ３５１Ｈによって支持される。ブレードホルダ３５１Ｈは、前記断面視において、Ｌ字型形状を備えた板金部材である。ブレードホルダ３５１Ｈの中央部分が、第１固定スクリュー３５１Ｂによって、クリーナーハウジング３５Ｈに固定される。クリーニングブレード３５１とブレードホルダ３５１Ｈは、接着剤によって固定される。この結果、クリーニングブレード３５１の固定端が形成される。一方、クリーニングブレード３５１の先端は自由端とされ、感光体ドラム３１の周面に当接される。クリーニングブレード３５１の前記先端は、後記の研磨ローラー３５３よりも、感光体ドラム３１の回転方向（矢印ＤＰ方向）下流側の円筒面３１Ｂに当接する。この結果、クリーニングブレード３５１の前記先端によって、感光体ドラム３１の円筒面３１Ｂ上に残留（付着）したトナーが除去される。
【００５４】
搬送スクリュー３５２は、クリーニングブレード３５１の上方において、クリーナーハウジング３５Ｈに回転可能に支持される。搬送スクリュー３５２は、軸部と、該軸部周りに配設されたスパイラル状の羽根部材と、を備える。搬送スクリュー３５２は、クリーニングブレード３５１によって掻き取られ、クリーニングブレード３５１上に堆積した回収トナーＰＴを感光体ドラム３１の回転軸３１Ａの軸方向に搬送する。
【００５５】
研磨ローラー３５３は、搬送スクリュー３５２の後方に配設される。研磨ローラー３５３は、感光体ドラム３１の回転軸３１Ａよりも上方の円筒面３１Ｂに当接する周面を備える。また、研磨ローラー３５３は、転写ニップ部ＴＰから感光体ドラム３１の回転軸３１Ａの直上の位置までの、感光体ドラム３１の円筒面３１Ｂに当接する。より詳しくは、研磨ローラー３５３は、感光体ドラム３１の回転軸３１Ａの直上または、該直上よりも僅かに感光体ドラム３１の回転方向上流側の円筒面３１Ｂに当接する。なお、該円筒面３１Ｂ上の研磨ローラー３５３が当接する位置を当接位置ＣＰと定義する。研磨ローラー３５３は、周面が粗面化処理されたゴムローラーである。研磨ローラー３５３は、感光体ドラム３１の周面に当接しながら、感光体ドラム３１に線速差をもって回転される（矢印ＤＣ）。研磨ローラー３５３は、感光体ドラム３１の円筒面３１Ｂに付着したトナーを表面に付着させて像担持体を研磨する。また、研磨ローラー３５３は、感光体ドラム３１の表面に付着した放電生成物などの付着物を、研磨する。この際、研磨ローラー３５３の周面に、所定量のトナーが付着することによって、前記放電生成物の除去性能（研磨性能）が向上される。
【００５６】
スクレーパ３５４は、上下方向（鉛直方向）に延設される板状部材である。本実施形態では、スクレーパ３５４は、０．０５ｍｍのＳＵＳ板から構成される。スクレーパ３５４の下端は、研磨ローラー３５３の周面に当接される。スクレーパ３５４の下端は、研磨ローラー３５３の回転方向（矢印ＤＣ方向）に対向するように、研磨ローラー３５３の周面に当接される。スクレーパ３５４が、所定の弾性力をもって、研磨ローラー３５３の周面に当接することによって、研磨ローラー３５３の周面に付着したトナーの量が規制される。この結果、研磨ローラー３５３の周面に付着するトナー量が均一になることによって、研磨ローラー３５３による放電生成物の除去性能にばらつきが生じることが抑止される。
【００５７】
ケーシング３５３Ｈは、研磨ローラー３５３を覆うように配置される。本実施形態では、ケーシング３５３Ｈは、研磨ローラー３５３の上方を覆うスクレーパホルダ３５５と、研磨ローラー３５３の後方を覆う飛散防止壁３９０（立壁）とから構成される。
【００５８】
スクレーパホルダ３５５は、研磨ローラー３５３の上方を覆うように配置される。スクレーパホルダ３５５は、屈曲された板金部材から構成される。スクレーパホルダ３５５の中央部は、水平方向に延設される。スクレーパホルダ３５５の前側部分は、下方に向かって屈曲され、前記スクレーパ３５４を支持する。また、スクレーパホルダ３５５の後側部分は、後方かつ下方に向かって、屈曲される。
【００５９】
上部シール３５６は、スクレーパホルダ３５５の上に固定される。上部シール３５６の一端は、スクレーパホルダ３５５の中央部において支持され、上部シール３５６の他端は、前方に向かって、スクレーパホルダ３５５から突出するように配置される。上部シール３５６は、研磨ローラー３５３の周面に付着したトナーが、スクレーパ３５４によって掻き取られた際に、上方に跳ね上がったトナーを塞ぎとめる機能を備える。
【００６０】
飛散防止壁３９０は、感光体ドラム３１の円筒面３１Ｂと間隔をおいて、スクレーパホルダ３５５に連設される。飛散防止壁３９０は、研磨ローラー３５３と後記のトナーシール３６０の上方の空間との間に立設される。飛散防止壁３９０の上端部は、スクレーパホルダ３５５の屈曲された後端部に連設される。飛散防止壁３９０は、研磨ローラー３５３に対向して鉛直方向に立設され、研磨ローラー３５３の後方を覆うように配置される。飛散防止壁３９０は、防止壁先端部３９０Ｆ（立壁先端部）を備える。
【００６１】
防止壁先端部３９０Ｆは、飛散防止壁３９０のうち感光体ドラム３１の円筒面３１Ｂに対向する端部である。また、防止壁先端部３９０Ｆは、後記のトナーシール３６０のシール先端部３６０Ｓよりも感光体ドラム３１の回転方向下流側の円筒面３１Ｂに向かって延伸される。本実施形態では、防止壁先端部３９０Ｆは、飛散防止壁３９０の下端部が屈曲されることで形成され、研磨ローラー３５３の当接位置ＣＰに向かう方向に鉛直方向に対して傾いてに配設される。
【００６２】
プレート３５８は、ハウジング後壁３５Ｈ１の後方において、ハウジング後壁３５Ｈ１に沿って配置される。プレート３５８は、上下方向に延設される板金部材である。また、プレート３５８は、通紙域外において固定スクリューにより、クリーナーハウジング３５Ｈに固定されている。プレート３５８の上端部であるプレート上部３５８Ｔは、後方向に屈曲された後、上方に湾曲するように屈曲される。プレート３５８の下端部であるプレート下部３５８Ｓは、前方に向かって屈曲するように配置される。プレート下部３５８Ｓは、ハウジング後壁３５Ｈ１の下端部と感光体ドラム３１との間に進入するように配置される。
【００６３】
巻き込み防止シート３５９は、プレート３５８に沿って、上下方向に延設される。巻き込み防止シート３５９の上側部分は、プレート３５８に接着固定され、巻き込み防止シート３５９の固定端を形成する。また、巻き込み防止シート３５９の下側部分は、プレート３５８から下方に突出するように配置され、巻き込み防止シート３５９の自由端を形成する。巻き込み防止シート３５９の下側の先端部は、感光体ドラム３１の円筒面３１Ｂに近接して配置される。
【００６４】
トナーシール３６０（シート部材）は、プレート３５８のプレート下部３５８Ｓに沿って、水平方向に延設される。トナーシール３６０は、厚さ１００μｍのウレタンシートである。トナーシール３６０の後側部分は、プレート下部３５８Ｓに接着固定される。この結果、トナーシール３６０の固定端であるシール固定端３６０Ｆが形成される。一方、トナーシール３６０の前側部分であるシール先端部３６０Ｓは、トナーシール３６０の自由端を形成し、かつ、感光体ドラム３１の円筒面３１Ｂに当接する。トナーシール３６０のシール先端部３６０Ｓは、感光体ドラム３１の回転軸３１Ａと直交する断面視において、回転軸３１Ａよりも上方であって、研磨ローラー３５３よりも感光体ドラム３１の回転方向上流側の円筒面３１Ｂに当接する。この際、トナーシール３６０は、感光体ドラム３１の回転軸３１Ａと直交する断面視において、回転軸３１Ａと研磨ローラー３５３の当接位置ＣＰとを結ぶ基準直線ＲＬに近づく方向に向かって、円筒面３１Ｂに当接する。なお、トナーシール３６０は、ウレタンシート以外の薄板状のシート部材から構成されるものでもよい。感光体ドラム３１の円筒面３１Ｂに傷がつかないために、トナーシール３６０は柔らかく、変形可能な部材であることが好ましい。トナーシール３６０の上方の空間と研磨ローラー３５３との間には、前述の飛散防止壁３９０が立設される。
【００６５】
帯電装置３２の帯電ローラー３２１によって、周面が一様に帯電された感光体ドラム３１は、帯電装置３２よりも回転方向下流側において、不図示の露光装置によって静電潜像が形成される。そして、感光体ドラム３１の下方に配置された現像装置３３（図２）によって、静電潜像がトナー像として可視化される。感光体ドラム３１は、転写ニップ部ＴＰにおいて、下方から上方に向かって回転される。そして、感光体ドラム３１上に形成されたトナー像は、転写ニップ部ＴＰを下方から上方に向かって搬送されるシートに転写される。
【００６６】
転写ニップ部ＴＰにおいて、シートに転写されたトナー像の一部が、残留トナーとして感光体ドラム３１上に残留する。感光体ドラム３１上の残留トナーは、感光体ドラム３１の回転に伴って、下方から上方に向かって、クリーニング装置３５が感光体ドラム３１に対向する領域に搬送される。
【００６７】
クリーニング装置３５が対向する領域に搬送された残留トナーの一部は、研磨ローラー３５３の周面に付着する。また、研磨ローラー３５３の周面に付着しなかった残留トナーは、クリーニングブレード３５１によって掻き取られる。
【００６８】
次に、クリーニング装置３５に配設されたトナーシール部材（シート部材）の課題について説明する。研磨ローラー３５３の周面に付着したトナーの一部は、スクレーパ３５４によって掻き取られる。スクレーパ３５４の先端部を通過して、研磨ローラー３５３の周面に残留したトナーは、スクレーパホルダ３５５およびハウジング後壁３５Ｈ１と対向する領域を通過しながら、研磨ローラー３５３上を周回される。この際、研磨ローラー３５３の遠心力によって、研磨ローラー３５３の周面に付着したトナーが、研磨ローラー３５３から離脱される。
【００６９】
図４は、本発明の実施形態に係るクリーニング装置３５と比較されるための図であって、クリーニング装置３５Ｗを備えたドラムユニット３１ＨＷの断面図である。クリーニング装置３５Ｗは、本実施形態に係るクリーニング装置３５と比較して、飛散防止壁３９０を備えていない点で相違する。クリーニング装置３５Ｗの研磨ローラー３５３Ｗ、ハウジング後壁３５Ｈ１Ｗ、プレート３５８Ｗは、それぞれ、クリーニング装置３５の研磨ローラー３５３、ハウジング後壁３５Ｈ１、プレート３５８に相当する。プレート３５８Ｗの下端部であるプレート下部３５８ＷＳからは、トナーシール３８０が延設される。
【００７０】
トナーシール３８０のうち、プレート下部３５８ＷＳから前方に延設される部分の上方には、図４に示すように空間が存在する。このため、研磨ローラー３５３Ｗの周面から飛散したトナーは、研磨ローラー３５３Ｗ、ハウジング後壁３５Ｈ１Ｗおよび感光体ドラム３１Ｗの円筒面３１ＷＢによって囲まれた領域に飛散する。更に、前記トナーはトナーシール３８０の上に堆積し、トナー溜まりＴＮを形成する。図５および図６は、この際の、トナーシール３８０の周辺の様子を示した図である。図５を参照して、トナーシール３８０上に堆積したトナー溜まりＴＮは、山の形状をなすように積みあがっていく。一般的に、クリーニング装置３５（３５Ｗ）によって回収されたトナーの安息角は３０度から４０度である。しかしながら、前記回収されたトナーは、静電気をもって、周囲に位置する樹脂材料やゴム材料からなる部材に付着しやすい。このため、研磨ローラー３５３Ｗやハウジング後壁３５Ｈ１Ｗが近接する領域では、回収されたトナーの安息角は６０度から７０度となることがある。したがって、トナー溜まりＴＮが崩れにくく、トナーシール３８０の上に多量のトナーが堆積する。
【００７１】
一方、転写ニップ部ＴＰにおいて、トナー像がシートＰに転写される際、シートＰの表面に付着していた紙粉が、感光体ドラム３１Ｗの円筒面３１ＷＢに移動される場合がある。感光体ドラム３１Ｗの円筒面３１ＷＢに付着した紙粉は、感光体ドラム３１Ｗの回転に伴って、トナーシール３８０の先端に向かって搬送される。トナーシール３８０の上に、トナー溜まりＴＮが形成されていない場合、トナーシール３８０の先端は、低い当接圧をもって感光体ドラム３１Ｗの円筒面３１ＷＢに当接している。この場合、感光体ドラム３１Ｗ上を搬送された紙粉は、トナーシール３８０の先端と感光体ドラム３１Ｗの円筒面３１ＷＢとの間を通過して、クリーニングブレード３５１によって回収される。
【００７２】
しかしながら、トナーシール３８０の上に堆積したトナー溜まりＴＮによって、トナーシール３８０の先端が、感光体ドラム３１Ｗの円筒面３１ＷＢに強く当接されている場合、紙粉はトナーシール３８０の先端と感光体ドラム３１Ｗの円筒面３１ＷＢとの間を通過することができない。この結果、図５に示すように、トナーシール３８０の先端と感光体ドラム３１の円筒面３１ＷＢとの間に、紙粉の塊ＰＤが形成される。
【００７３】
紙粉の塊ＰＤが成長されると、感光体ドラム３１Ｗの回転軸３１ＷＡの軸方向において、該塊ＰＤが存在する部分に対応して、トナーシール３８０の先端部３８１が感光体ドラム３１Ｗの円筒面３１ＷＢから浮き上がる（図６）。この結果、トナー溜まりＴＮから、トナーＴＮ１が漏れ始める。トナーＴＮ１は、重力に従って、感光体ドラム３１Ｗの円筒面３１ＷＢに沿って落下する（矢印ＤＴ）。そして、転写ニップ部ＴＰに至ったトナーＴＮ１が、転写ニップ部ＴＰに搬送されたシートＰに付着する。この結果、シートＰにトナー汚れが生じる。
【００７４】
なお、上記のように研磨ローラー３５３Ｗから飛散するトナー量は、研磨ローラー３５３Ｗの周速度によって変化される。図７は、研磨ローラー３５３Ｗの周速度とトナーシール３８０上のトナーの溜まり量との関係を示すグラフである。なお、図７は、画像形成装置１において、２０Ｋ（２０，０００枚）相当の印刷を行った時点で評価した結果である。また、図８は、研磨ローラー３５３Ｗの周速度と研磨ローラー３５３Ｗ上のトナーが受ける遠心力との関係を示すグラフである。
【００７５】
２０Ｋ相当の印刷を経て、現像装置３３内に収容されるトナーの帯電性が若干低下されると、研磨ローラー３５３Ｗに付着したトナーの飛散も促進される。一方、画像形成装置１が高速条件で使用され、感光体ドラム３１の線速が速くなると、研磨ローラー３５３Ｗの周速度も速くなる。本実施形態では、感光体ドラム３１の線速と研磨ローラー３５３Ｗ（研磨ローラー３５３）の周速度との比は、１：１．２に設定される。図７に示すように、研磨ローラー３５３Ｗの周速度が３００ｍｍ／ｓｅｃを越えると、研磨ローラー３５３Ｗから飛散するトナーが増加し、トナーシール３８０の上に、多量のトナーが堆積される。
【００７６】
また、このときに研磨ローラー３５３Ｗの周面上に付着するトナーが受ける遠心力Ｆを算出すると、前記遠心力Ｆは以下の式１から算出される。
【００７７】
Ｆ＝ｍ×Ｖ２／ｒ  ・・・（式１）
（ｍ：トナー密度＝０．３６ｇ／ｃｍ３、Ｖ：研磨ローラーの周速度、ｒ：研磨ローラーの外径＝１．５５ｃｍ）
【００７８】
式１から、周速度Ｖ＝３００ｍｍ／ｓｅｃの場合に、単位体積あたりのトナーが受ける遠心力Ｆは、６．０ｍＮ／ｍｍ３であることがわかる。このように、研磨ローラー３５３Ｗの周速度が３００ｍｍ／ｓｅｃ以上の場合、または、研磨ローラー３５３Ｗが周面上の単位体積あたりのトナーに付与する遠心力が６．０ｍＮ／ｍｍ３以上の場合には、研磨ローラー３５３Ｗからのトナーの飛散が顕著となる。
【００７９】
上記のように、クリーニング装置３５Ｗのトナーシール３８０の上方には、研磨ローラー３５３Ｗから飛散したトナーが堆積され、紙粉の塊ＰＤが生成される。この結果、シートＰのトナー汚れがもたらされる。本実施形態に係るクリーニング装置３５は、上記課題を解決するために、飛散防止壁３９０が配置される点に特徴を有する。
【００８０】
図９および図１０は、図３のクリーニング装置３５の一部を拡大した拡大断面図である。本実施形態では、研磨ローラー３５３とトナーシール３６０の上方の空間との間には、前述のとおり、飛散防止壁３９０が立設される。また、飛散防止壁３９０のうち感光体ドラム３１の円筒面３１Ｂに対向する端部である防止壁先端部３９０Ｆは、トナーシール３６０のシール先端部３６０Ｓよりも感光体ドラム３１の回転方向下流側の円筒面３１Ｂに向かって延伸される（図９の矢印Ｄ９）。研磨ローラー３５３と防止壁先端部３９０Ｆとの間には、開口部ＳＧが形成される。研磨ローラー３５３によって感光体ドラム３１から回収された回収トナーが、研磨ローラー３５３の回転に伴って、研磨ローラー３５３の周面から飛散した場合であっても、前記トナーは飛散防止壁３９０に衝突される。このため、トナーシール３６０の上方の空間に前記トナーが飛散することが抑止される。更に、飛散防止壁３９０に衝突したトナーは下方に落下し、開口部ＳＧを介して、トナーシール３６０よりも前記回転方向下流側の円筒面３１Ｂに落下する。このため、トナーシール３６０の上にトナーが堆積することが好適に防止される。この結果、トナーシール３６０上に堆積したトナーが、トナーシール３６０を感光体ドラム３１側に押圧することが抑止される。したがって、トナーシール３６０の感光体ドラム３１に対する当接圧が高く成り難く、トナーシール３６０のシール先端部３６０Ｓからトナー漏れが生じることが抑制される。
【００８１】
特に、前述のとおり、研磨ローラー３５３の周速度が３００ｍｍ／ｓｅｃ以上であって、研磨ローラー３５３からトナーが飛散しやすい条件であっても、飛散防止壁３９０によって前記トナーがトナーシール３６０の上方に飛散することが抑止される。また、研磨ローラー３５３が周面上の単位体積あたりのトナーに付与する遠心力が６．０ｍＮ／ｍｍ３以上であって、研磨ローラー３５３からトナーが飛散しやすい条件であっても、飛散防止壁３９０によって前記トナーがトナーシール３６０の上方に飛散することが抑止される。
【００８２】
ここで、図１０を参照して、防止壁先端部３９０Ｆは、突出基準直線ＧＬと面一または突出基準直線ＧＬよりも感光体ドラム３１の円筒面３１Ｂ側に突出することが望ましい（矢印Ｄ１０）。突出基準直線ＧＬは、研磨ローラー３５３の回転における軸心３５３Ａと、トナーシール３６０のシール先端部３６０Ｓと円筒面３１Ｂとの当接位置と、を結ぶ直線である。このように、防止壁先端部３９０Ｆが配置されることで、飛散防止壁３９０に衝突したトナーが、開口部ＳＧを介して、防止壁先端部３９０Ｆから落下する際に、前記トナーがトナーシール３６０側に向かって吹き出すことが抑止される。
【００８３】
また、上記の実施形態によれば、飛散防止壁３９０は、研磨ローラー３５３に対向して鉛直方向に立設され、防止壁先端部３９０Ｆは、研磨ローラー３５３の当接位置ＣＰに向かう方向に鉛直方向に対して傾いて配設される。このため、飛散防止壁３９０に衝突したトナーは鉛直下方に落下される。また、防止壁先端部３９０Ｆが研磨ローラー３５３の当接位置ＣＰに向かって配置されるため、飛散防止壁３９０に衝突した前記トナーは、トナーシール３６０から可及的に離れた円筒面３１Ｂに落下する。更に、防止壁先端部３９０Ｆは、円筒面３１Ｂに向かって、下方に傾斜する傾斜面からなる。このため、防止壁先端部３９０Ｆの上にトナーが滞留しにくい。
【００８４】
更に、上記の実施形態によれば、飛散防止壁３９０は、感光体ドラム３１の軸方向に沿って研磨ローラー３５３を囲むケーシング３５３Ｈの一部であり、ケーシング３５３Ｈの一部であるスクレーパホルダ３５５はスクレーパ３５４を支持する。このため、ケーシング３５３Ｈによって、スクレーパ３５４が研磨ローラー３５３の周面に安定して当接するとともに、研磨ローラー３５３からトナーがトナーシール３６０側に飛散することが効果的に抑止される。
【００８５】
また、上記の実施形態によれば、研磨ローラー３５３の周面に付着したトナーによって、研磨ローラー３５３による感光体ドラム３１の円筒面３１Ｂに対する研磨効果が促進される。この際、感光体ドラム３１としてアモルファスシリコン感光体が採用されることで、研磨ローラー３５３によって感光体ドラム３１の円筒面３１Ｂが削れにくく、感光体ドラム３１の円筒面３１Ｂに付着した付着物が選択的に研磨されやすい。
【００８６】
また、上記の実施形態では、研磨ローラー３５３は、転写ニップ部ＴＰから、感光体ドラム３１の回転軸３１Ａの直上の位置までの間の感光体ドラム３１の円筒面３１Ｂに当接する。また、トナーシール３６０のシール先端部３６０Ｓは、研磨ローラー３５３が円筒面３１Ｂに当接する位置よりも、下方かつ感光体ドラム３１の回転方向上流側の円筒面３１Ｂに当接する。このため、研磨ローラー３５３から飛散したトナーが、トナーシール３６０の上に落下しやすい。このような場合であっても、上記の実施形態によれば、研磨ローラー３５３から飛散したトナーは飛散防止壁３９０に衝突される。このため、トナーシール３６０の上方の空間に前記トナーが飛散することが抑止される。更に、飛散防止壁３９０に衝突したトナーは、トナーシール３６０よりも感光体ドラム３１の回転方向下流側の円筒面３１Ｂに落下する。このため、トナーシール３６０の上にトナーが堆積することが好適に防止される。この結果、トナーシール３６０上に堆積したトナーが、トナーシール３６０を感光体ドラム３１側に押圧することが抑止される。したがって、トナーシール３６０の感光体ドラム３１に対する当接圧が高く成り難く、トナーシール３６０のシール先端部３６０Ｓからトナー漏れが生じることが抑制される。
【００８７】
更に、転写ニップ部ＴＰにおいて、感光体ドラム３１の円筒面３１ＢにシートＰの紙粉が付着した場合であっても、感光体ドラム３１の回転に伴って、トナーシール３６０の先端部まで移動された紙粉が、トナーシール３６０のシール先端部３６０Ｓと感光体ドラム３１の円筒面３１Ｂとの間で、塊に成長されることが抑止される。この結果、前記紙粉の塊によって、トナーシール３６０のシール先端部３６０Ｓが浮き上がり、トナーがトナーシール３６０と感光体ドラム３１の隙間から漏れることを防止できる。したがって、下方に漏れたトナーによって、搬送されるシートＰが汚されることが抑制される。
【００８８】
以上、本発明の実施形態に係るクリーニング装置３５、およびこれを備えるドラムユニット３１Ｈ、画像形成装置１について説明したが、本発明はこれに限定されるものではなく、例えば次のような変形実施形態を取ることができる。
【００８９】
（１）上記の実施形態では、飛散防止壁３９０が鉛直方向に立設され、防止壁先端部３９０Ｆが感光体ドラム３１の円筒面３１Ｂに向かって屈曲される態様にて説明したが、本発明はこれに限定されるものではない。飛散防止壁３９０および防止壁先端部３９０Ｆは、研磨ローラー３５３の周面に沿って湾曲した形状からなるものであってもよい。また、飛散防止壁３９０は、ケーシング３５３Ｈとは別部材から構成されるものであってもよい。
【００９０】
（２）また、上記の実施形態では、トナーシール３６０を備えるクリーニング装置３５は、ドラムユニット３１Ｈに配設される態様にて説明したが、本発明は、これに限定されるものではない。トナーシール３６０を備えるクリーニング装置３５は、画像形成装置１に対して、個別に装着されるものであってもよい。
【符号の説明】
【００９１】
１  画像形成装置
３０  画像形成部
３１  感光体ドラム（像担持体）
３１Ａ  回転軸
３１Ｂ  円筒面
３１Ｈ  ドラムユニット
３２  帯電装置
３２１  帯電ローラー
３２２  クリーニングローラー
３２Ｈ  帯電ハウジング
３３  現像装置
３４  転写ローラー（転写部材）
３５  クリーニング装置
３５Ｈ  クリーナーハウジング（筐体）
３５Ｈ１  ハウジング後壁
３５Ｈ２  上壁
３５Ｈ３  側壁
３５１  クリーニングブレード
３５１Ｈ  ブレードホルダ
３５１Ｂ  第１固定スクリュー
３５２  搬送スクリュー
３５３  研磨ローラー（回転部材）
３５３Ｈ  ケーシング
３５４  スクレーパ（規制部材）
３５５  スクレーパホルダ
３５６  上部シール
３５８  プレート
３５８Ｔ  プレート上部
３５８Ｓ  プレート下部
３５９  巻き込み防止シート
３６０  トナーシール（シート部材）
３６０Ｓ  シール先端部
３６０Ｆ  シール固定端
３９０  飛散防止壁（立壁）
３９０Ｆ  防止壁先端部（立壁先端部）
３９０ＦＳ  先端突出部
ＲＬ  基準直線
ＣＰ  当接位置
ＧＬ  突出基準直線
ＳＧ  開口部
【図１】
2014002344.tif 000003
【図２】
2014002344.tif 000004
【図３】
2014002344.tif 000005
【図４】
2014002344.tif 000006
【図５】
2014002344.tif 000007
【図６】
2014002344.tif 000008
【図７】
2014002344.tif 000009
【図８】
2014002344.tif 000010
【図９】
2014002344.tif 000011
【図１０】
2014002344.tif 000012